(57)【要約】【課題】摺動体のガタ付きが吸収されてスム−ズな摺動案内が行える魚釣用リ−ルを提供することである。【解決手段】リ−ル本体１内にはスプ−ル軸１８と平行に往復動装置Ａのトラバ−スカム軸２０が軸受部１ｂの透孔１ｃとリ−ル本体１の後側壁の透孔に嵌合され、トラバ−スカム軸２０には摺動体５が嵌合されて図示しない係合子の爪がトラバ−スカム軸２０のカム溝２０ａに係合され、トラバ−スカム軸２０とは平行に案内杆２３がリ−ル本体１の軸受部１ｂと後側壁の間に架設されている。摺動体５にはスプ−ル軸１８の後端回り止め部１８ａが嵌合されるＤ孔５ａとトラバ−スカム軸２０が挿通される透孔５ｂと案内杆２３が挿通される透孔５ｃが穿設され、透孔５ｃの中にはＯリングからなる弾性部材２４、２４が嵌まる周溝５ｄ、５ｄが形成されている。【選択図】        図３
2004261077.tif 000002
【特許請求の範囲】
【請求項１】
ハンドルの回転運動に連動して摺動体を往復動する往復動装置を備えた魚釣用リ−ルにおいて、前記摺動体を案内する案内杆と該摺動体の間に弾性部材を介在して前記摺動体のガタ付きを吸収しながら摺動案内したことを特徴とする魚釣用リ−ル。
【発明の詳細な説明】
【０００１】
【発明の属する技術分野】
本発明は、ハンドルの回転運動を摺動体の往復動に変換する往復動装置を備え、該往復動装置を介して往復動する摺動体でスプ−ルに釣糸を巻回してなる魚釣用リ−ルの改良に関する。
【０００２】
【従来の技術】
例えば、魚釣用スピニングリ−ルは、ハンドル操作で連動回転する釣糸案内部を有するロ−タを介してスプ−ルに釣糸を巻回するタイプのリ−ルで、スプ−ル軸の後部にはハンドル回転を前後方向に動力伝達する摺動子が取り付けられ、該摺動子はリ−ル本体の前後部間に架設されたピラ−に前後動可能に案内支持され、該ピラ−によってスプ−ル軸、つまり、スプ−ルの回転方向のガタ付が規制されている。（例えば、特許文献１及び特許文献２参照）
【０００３】
【特許文献１】
実開平４−３８２６６号公報
【特許文献２】
特開平８−１３１０２９号公報
【０００４】
【発明が解決しようとする課題】
解決しようとする問題点は、特許文献１、２のようにスプ−ル軸の後部に取り付けた摺動子と摺動子に嵌合して前後動案内するピラ−とは、スプ−ル軸とピラ−との平行度、軸間距離、軸支持部の嵌め合い、ピラ−と摺動子の嵌め合い等、様々な寸法公差が累積するため、設計上、摺動子のガタは抑えられない。
摺動子のガタを抑えようとすると、前後往復移動時に引っ掛かりが生じて巻き取り操作に支障を来す。
又、ガタが生じた状態では、摺動子の前後往復移動時にピラ−との金属接触で不快な振動、異音が発生し、快適な巻き取り操作が行えない。
ことである。
【０００５】
本発明の目的は前記欠点に鑑み、摺動体のガタ付きが吸収されてスム−ズな摺動案内が行える魚釣用リ−ルを提供することである。
【０００６】
【課題を解決するための手段】
上記課題を解決するために、
請求項１に係わる本発明は、ハンドルの回転運動に連動して摺動体を往復動する往復動装置を備えた魚釣用リ−ルにおいて、前記摺動体を案内する案内杆と該摺動体の間に弾性部材を介在して前記摺動体のガタ付きを吸収しながら摺動案内したことを要旨とするものである。
【０００７】
【発明の実施の形態】
請求項１の本発明により、弾性部材２４、６、８の弾性変形により、軸間、嵌合部等の累積寸法誤差が吸収されて摺動体５、５′、９を前後や左右方向に摺動案内できるので、摺動体５、５′、９をガタ付きなく支持できると共に弾性部材２４、６、８の緩衝作用により、不快な振動、異音も確実に防止でき、快適な巻き取り操作が行える。
【０００８】
【実施例】
以下、図示の実施例によって本発明を説明すると、図１から図３は第１実施例で魚釣用リ−ルをトラバ−スカム軸からなる前後往復動装置を組み込んだ魚釣用スピニングリ−ルで述べれば、図１は魚釣用スピニングリ−ルの要部断面側面図、図２は図１の要部拡大断面側面図、図３は図２の要部拡大断面側面図である。
【０００９】
魚釣用スピニングリ−ルは、リ−ル本体１と図示しない蓋体で保持された図示しない軸受で駆動歯車２の駆動軸２ａが軸承されて駆動軸２ａの中心多角形孔２ｂにハンドル１０が固定されたハンドル軸１１が左右交換自在に挿入嵌合されている。
リ−ル本体１の前側の支持部１ａ内の軸受１２で回転軸筒３の前側が回転自在に支持され、リ−ル本体１内の軸受部１ｂ内に嵌合された軸受１３で回転軸筒３の小径の基端３ａが回転自在に支持されている。
【００１０】
回転軸筒３の基端３ａの前側に一体的にピニオン歯車３ｂが形成されて駆動歯車２に噛合されている。
ピニオン歯車３ｂの前側の回転軸筒３外周に連動歯車１４が回り止め嵌合されている。
軸受１２より前側の回転軸筒３外周に逆転防止爪車１５とロ−タ４の中心筒部４ａが回り止め嵌合されて回転軸筒３の前端に螺合されたナット１６で取り付けられている。
回転軸筒３の中心孔３ｃには先端にスプ−ル１７が取り付けられたスプ−ル軸１８が前後往復動可能に摺動自在に挿入され、スプ−ル軸１８の後端回り止め部１８ａには摺動体５が嵌合されてビス１９で取り付けられている。
【００１１】
リ−ル本体１内にはスプ−ル軸１８と平行に往復動装置Ａのトラバ−スカム軸２０が軸受部１ｂの透孔１ｃとリ−ル本体１の後側壁１ｄの透孔１ｅに嵌合されて後側壁１ｄの前側のトラバ−スカム軸２０にはＥリング２１が嵌められて抜け止めされている。
トラバ−スカム軸２０の前端には小歯車２２が取り付けられて小歯車２２は連動歯車１４に噛合されている。
トラバ−スカム軸２０には摺動体５が嵌合されて図示しない係合子の爪がトラバ−スカム軸２０のカム溝２０ａに係合されている。
トラバ−スカム軸２０とは平行に案内杆２３がリ−ル本体１の軸受部１ｂと後側壁１ｄの間に架設されている。
【００１２】
摺動体５にはスプ−ル軸１８の後端回り止め部１８ａが嵌合されるＤ孔５ａとトラバ−スカム軸２０が挿通される透孔５ｂと案内杆２３が挿通される透孔５ｃが穿設されている。
透孔５ｃの中にはＯリングからなる弾性部材２４、２４が嵌まる周溝５ｄ、５ｄが形成されている。
逆転防止爪車１５には逆転防止爪２５が係脱自在に臨まされている。
リ−ル本体１に回動自在に取り付けられた操作杆２６の前側にカム２７が取り付けられ逆転防止爪２５が操作される。
リ−ル本体１の後側外部に突出した操作杆２６に操作ツマミ２８が取り付けられている。
【００１３】
ロ−タ４は中心筒部４ａで回転軸筒２に取り付けられ、筒部４ａと前壁４ｂと大径の筒部４ｃと大径の筒部４ｃの基部の外周から前方に向けて突出された一対の支持腕４ｄ、４ｅとで形成されて支持腕４ｄに一方のベ−ル支持部材２９がビス３０で止められ、支持腕４ｅに他方のベ−ル支持部材３１がビスで止められて釣糸巻取位置と図示しない釣糸放出位置に反転自在に軸承されている。
一方のベ−ル支持部材２９には釣糸案内ロ−ラの取付部３２が取り付けられている。
他方のベ−ル支持部材３１と釣糸案内ロ−ラの取付部３２の間に図示しないベ−ルが取り付けられている。
リ−ル本体１のリ−ル脚部１ｆには一方のベ−ル支持部材２９が放出状態にある時衝接される衝接部材３３が突出して設けられている。
【００１４】
前記魚釣用スピニングリ−ルの動作は、図示しない釣糸がスプ−ル１７に巻回される方向にハンドル１０が回転されると、駆動歯車２が回転されてピニオン歯車２ｂを介して回転軸筒３とロ−タ４が正回転される。
更に連動歯車１２と小歯車２２が噛合されてトラバ−スカム軸２０が連動回転されて摺動体５とスプ−ル軸１８とスプ−ル１７が前後に往復動される。
釣糸がスプ−ル１７に巻回される時は、一方のベ−ル支持部材２９に設けられた釣糸案内ロ−ラで釣糸が案内されて前後に往復動されてスプ−ル１７に平行に巻回される。
ロ−タ４が逆回転防止される時は、操作ツマミ２８と操作杆２６と逆転防止爪２５が回動されて逆転防止爪２５が逆転防止爪車１３に係合される。
【００１５】
摺動体５が案内杆２３で案内される時、摺動体５と案内杆２３の間にはＯリングからなる弾性部材２４、２４が介在されているので、弾性部材２４、２４の弾性変形により、軸間、嵌合部等の累積寸法誤差が吸収される。
【００１６】
前記のように魚釣用スピニングリ−ルが構成されると、Ｏリングからなる弾性部材２４、２４の弾性変形により、軸間、嵌合部等の累積寸法誤差が吸収されて摺動体５を前後方向に摺動案内できるので、摺動体５をガタ付きなく支持できると共に弾性部材２４、２４の緩衝作用により、不快な振動、異音も確実に防止でき、快適な巻き取り操作が行える。
【００１７】
図４、図５は第２実施例で、図４は摺動体と弾性部材の断面正面図、図５は摺動体と弾性部材の断面側面図である。
【００１８】
第２実施例では、摺動体５の案内杆２３が挿通される透孔５ｃに弾性部材６が嵌合されている。
弾性部材６は筒状部６ａの中心孔６ｂの３箇所に長手方向の突堤６ｃが形成され、突堤６ｃ位置の筒状部６ａに空腔部６ｄが形成されて突堤６ｃ部分に弾性力が付与されている。
筒状部６ａの外周に突部６ｅが形成されて透孔５ｃ内周に形成された凹部５ｄに嵌められて
他の構成は前記第１実施例と略同一である。
前記第１実施例のＯリングからなる弾性部材２４、２４に代えて弾性部材６を組み込んでもよい。
【００１９】
図６は第３実施例で魚釣用リ−ルを偏芯カムからなる前後往復動装置を組み込んだ魚釣用スピニングリ−ルで述べれば、図６は魚釣用スピニングリ−ルの要部断面側面図と要部拡大断面側面図である。
【００２０】
第３実施例では、駆動歯車２の側部に偏芯カム２ｃが形成されてスプ−ル軸１８の後端回り止め部１８ａに固定された摺動体５′との間に作動板７が連結されている。
作動板７は偏芯カム２ｃに嵌合されるリング環７ａと連結部７ｂと連結部７ｂに穿設された透孔７ｃで形成されている。
摺動体５′には透孔７ｃに嵌合されるピン３４が固定されている。
摺動体５′の下側には横溝５ｅが形成されて箱形のキャップからなる弾性部材８が嵌合されている。
弾性部材８には横溝５ｅに嵌まる舌部８ａと案内杆２３が挿通される透孔８ｂが形成されている。
他の構成は前記第１実施例と略同一である。
【００２１】
図７から図１０は第４実施例で魚釣用リ−ルをトラバ−スカム軸からなる往復動装置を組み込んだ魚釣用両軸受型リ−ルで述べれば、図７は魚釣用両軸受型リ−ルの正面図、図８は魚釣用両軸受型リ−ルの要部断面側面図、図９は図７の要部拡大正面図、図１０は図８の要部拡大断面側面図である。
【００２２】
第４実施例では、両側枠３５、３５の間にスプ−ル３６と案内筒３７と案内筒３７の中にトラバ−スカム軸３８が配置されて案内筒３７の外周を左右に摺動する摺動体９が設けられて往復動装置Ａが構成されている。
摺動体９は中心部分９ａと、中心部分９ａから前方に伸びた突出部９ｂと、中心部分９ａから上方に伸びた糸案内部９ｃと、中心部分９ａから下方に突出した突出部９ｄとで形成されている。
中心部分９ａには案内筒３７が嵌合される透孔９ｅが、突出部９ｂ内にピン３９が挿入可能な内径の透孔９ｆが、突出部９ｂの外周にキャップ４０が螺合される螺子部９ｇが、突出部９ｄに案内杆２３が挿通される透孔９ｈが、糸案内部９ｃに硬質釣糸案内環４１が嵌合固定される透孔９ｉが夫々形成されている。
【００２３】
案内杆２３が挿通される透孔９ｈの中にはＯリングからなる弾性部材２４が嵌まる周溝９ｊが形成されている。
案内筒３７にはピン３９が挿入可能な長手方向の長孔３７ａが形成されている。  トラバ−スカム軸３８のカム溝に摺動体９内に収容されたピン３９が係合されている。
スプ−ル３６に巻回された釣糸４２は糸案内部９ｄの硬質釣糸案内環４１を通して前方に突出される。
スプ−ル３６とトラバ−スカム軸３８は側板４３の外側に設けられたハンドル４４の回転で図示しない駆動歯車を介して回転される。
【００２４】
往復動装置Ａの動作は、ハンドル４４が回転されると、駆動歯車を介してスプ−ル３６が回転されてスプ−ル３６に釣糸４２が巻回されると共に、駆動歯車を介してトラバ−スカム軸３８が回転される。
このトラバ−スカム軸３８の回転でカム溝に係合するピン３９が収容された摺動体９が案内杆２３の案内で案内筒３７上を左右に摺動される。
この摺動で釣糸４２がスプ−ル３６に平行に巻回される。
【００２５】
摺動体９が案内杆２３で案内される時、摺動体９と案内杆２３の間にはＯリングからなる弾性部材２４が介在されているので、弾性部材２４の弾性変形により、軸間、嵌合部等の累積寸法誤差が吸収される。
【００２６】
【発明の効果】
本発明は、以上説明したような形態で実施され、以下に記載されるような効果を奏する。
【００２７】
請求項１により、弾性部材の弾性変形により、軸間、嵌合部等の累積寸法誤差が吸収されて摺動体を前後や左右方向に摺動案内できるので、摺動体をガタ付きなく支持できると共に弾性部材の緩衝作用により、不快な振動、異音も確実に防止でき、快適な巻き取り操作が行える。
【図面の簡単な説明】
【図１】第１実施例で、魚釣用スピニングリ−ルの要部断面側面図である。
【図２】同図１の要部拡大断面側面図である。
【図３】同図２の要部拡大断面側面図である。
【図４】第２実施例で、摺動体と弾性部材の断面正面図である。
【図５】同摺動体と弾性部材の断面側面図である。
【図６】第３実施例で、魚釣用スピニングリ−ルの要部断面側面図と要部拡大断面側面図である。
【図７】第４実施例で、魚釣用両軸受型リ−ルの正面図である。
【図８】同魚釣用両軸受型リ−ルの要部断面側面図である。
【図９】同図７の要部拡大正面図である。
【図１０】同図８の要部拡大断面側面図である。
【符号の説明】
５、５′、９  摺動体
６、８、２４  弾性部材
２３  案内杆
Ａ  往復動装置
【図１】
2004261077.tif 000003
【図２】
2004261077.tif 000004
【図３】
2004261077.tif 000005
【図４】
2004261077.tif 000006
【図５】
2004261077.tif 000007
【図６】
2004261077.tif 000008
【図７】
2004261077.tif 000009
【図８】
2004261077.tif 000010
【図９】
2004261077.tif 000011
【図１０】
2004261077.tif 000012